(57)【要約】【課題】盤面の装飾性を高めることが可能な遊技盤を提供する。【解決手段】基板の前面に接着剤を介して貼着される盤面装飾シート４００は、前方側から順に、透明なフィルム層４１０、装飾インク層４２０、第１糊層４３０、立体的装飾反射層４４０、第２糊層４５０、及び紙層４６０を備えて構成される。立体的装飾反射層４４０は、ホログラムのような立体的で光沢感のある装飾性を得ることができる層であり、ＰＥＴ樹脂で形成され、球面レンズ状の凹凸部を有するレンズ状透明層４４１と、アルミ箔で形成された反射層４４２と、紙で形成されたベース層４４３とを備えて構成される。【選択図】図２０
2018175236.tif 000002
【特許請求の範囲】
【請求項１】
基板と前記基板の前面に貼着された盤面装飾シートとを備えた遊技盤であって、
前記盤面装飾シートは、透明なフィルム層と、前記フィルム層の後面側に配された立体的装飾反射層と、を少なくとも備え、
前記立体的装飾反射層は、レンズ状の凹凸部を有するレンズ状透明層を少なくとも備えて構成されていることを特徴とする遊技盤。
【発明の詳細な説明】
【技術分野】
【０００１】
本発明は、ぱちんこ遊技機等の遊技機に用いられる遊技盤に関する。
【背景技術】
【０００２】
弾球遊技機の代表例であるぱちんこ遊技機は、遊技領域が前面側に設けられた遊技盤を立設姿勢で保持する枠部材（以下「前枠」と称する）に、遊技施設側から供給される遊技球を貯留する貯留タンク等が設けられた裏セット盤が取り付けられて構成されている。遊技盤は、ベニヤ板等の合板やアクリル樹脂等の合成樹脂材料を用いて矩形平板状に形成された基板をベースとして構成されている。
【０００３】
遊技盤の一面側（基板が不透明な場合には前面側、基板が透明な場合には前面側または後面側）には、盤面の視覚的な装飾性を高めるためのシート部材（以下「盤面装飾シート」と称する）が設けられることが多い。この盤面装飾シートは、例えば、透明なフィルム層、絵柄（文字や模様等を含む）等を形成するインク層、層同士を接着するための糊層など、複数層で構成されたものが一般的である（例えば、下記特許文献１，２を参照）。
【先行技術文献】
【特許文献】
【０００４】
【特許文献１】特開２００８−２９５８３０号公報
【特許文献２】特開２０１２−２４９８３７号公報
【発明の概要】
【発明が解決しようとする課題】
【０００５】
遊技の興趣向上を図るために、遊技盤の盤面の装飾性を高めたいという要望は強い。盤面の装飾性向上のために、遊技盤の後面側に配置したＬＥＤランプからの光を、盤面装飾シートを透過させることによって盤面の一部を光らせるといった工夫はなされているが、更なる装飾性の向上が望まれている。
【０００６】
本発明は、このような課題に鑑みてなされたものであり、盤面の装飾性を高めることが可能な遊技盤を提供することを目的とする。
【課題を解決するための手段】
【０００７】
このような目的達成のために、本発明に係る遊技盤は、基板と前記基板の前面に貼着された盤面装飾シートとを備えた遊技盤であって、前記盤面装飾シートは、透明なフィルム層と、前記フィルム層の後面側に配された立体的装飾反射層と、を少なくとも備え、前記立体的装飾反射層は、レンズ状の凹凸部を有するレンズ状透明層を少なくとも備えて構成されていることを特徴とする。
【発明の効果】
【０００８】
本発明に係る遊技盤によれば、盤面の装飾効果を高めることが可能である。
【図面の簡単な説明】
【０００９】
【図１】本発明の一実施形態に係る遊技盤ユニットを備えたぱちんこ遊技機の正面図である。
【図２】上記ぱちんこ遊技機を後方から見た斜視図である。
【図３】上記ぱちんこ遊技機からガラス枠を取り外した状態を示す正面図である。
【図４】遊技盤ユニットを保持した前枠を裏セット盤と共に外枠に対して開き、さらにガラス枠を前枠に対して開いた状態のぱちんこ遊技機を示す斜視図である。
【図５】前枠に対し遊技盤ユニットを着脱する際の状態のぱちんこ遊技機を示す斜視図である。
【図６】遊技盤ユニットの構成を示す図であり、（Ａ）は背面図、（Ｂ）は同図（Ａ）におけるＡ‐Ａ断面図である。
【図７】図６（Ｂ）におけるＢ部の拡大詳細図である。
【図８】自立用スタンドが自立支援位置にある状態の遊技盤ユニットを後方下側（左側寄り）から見た斜視図である。
【図９】自立用スタンドがスタンド収納位置にある状態の遊技盤ユニットを後方下側（左側寄り）から見た斜視図である。
【図１０】自立支援機構の全体構成を示す斜視図である。
【図１１】自立支援機構の分解斜視図である。
【図１２】自立用スタンドの構成を示す図であり、（Ａ）は左側面図、（Ｂ）は正面図、（Ｃ）は右側面図、（Ｄ）は斜視図である。
【図１３】自立した状態の遊技盤ユニットを左側方から見た図である。
【図１４】ガラス枠と遊技盤ユニットを取り外した状態のぱちんこ遊技機を示す斜視図である。
【図１５】ガラス枠を取り外したぱちんこ遊技機の前枠内に、遊技盤ユニット（遊技盤等の一部の構成部材を省略して図示）を収納する途中の状態を示す斜視図である。
【図１６】ガラス枠を取り外し前枠内から遊技盤ユニットを少し引き出した状態のぱちんこ遊技機を示す図であり、（Ａ）は正面図、（Ｂ）は同図（Ａ）におけるＣ‐Ｃ断面図である。
【図１７】図１６（Ｂ）におけるＤ部の拡大詳細図である。
【図１８】ガラス枠を取り外し前枠内に遊技盤ユニットを収納した状態のぱちんこ遊技機を示す図であり、（Ａ）は正面図、（Ｂ）は同図（Ａ）におけるＥ‐Ｅ断面図である。
【図１９】図１８（Ｂ）におけるＦ部の拡大詳細図である。
【図２０】盤面装飾シートの構成を示す図である。
【図２１】立体的装飾反射層を斜め前方から見た状態を示す部分図である。
【図２２】立体的装飾反射層の変形例の構成を示す図である。
【発明を実施するための形態】
【００１０】
以下、本発明の好ましい実施形態について図面を参照して説明する。本発明に係る遊技盤ユニットを備えた遊技機の代表例として、ぱちんこ遊技機ＰＭを図１〜図５に示しており、まず、これらの図を参照してぱちんこ遊技機ＰＭの全体構成について説明する。なお、以降の説明においては、便宜上、図２の各矢印で示す方向をそれぞれ、前後方向、左右方向、上下方向と称して説明する。
【００１１】
［遊技機の全体構成］
始めに、ぱちんこ遊技機ＰＭの前面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの前面左側縁部に配設された上下のヒンジ機構３ａ，３ｂにより横開き開閉及び着脱可能に取り付けられ、前面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３ａ，３ｂを利用して横開き開閉及び着脱可能に組み付けられ、施錠装置４を利用して常には前枠２の前面を覆う閉鎖状態に保持される。前枠２の前面側には、遊技盤２０が着脱可能にセット保持され、常には閉鎖保持されるガラス枠５の複層ガラス５ａを通して遊
技盤２０の正面の遊技領域ＰＡを視認可能に臨ませるようになっている。
【００１３】
遊技盤２０は、ベニヤ板を用いて矩形平板状に形成された基板（ベニヤ板以外に、アクリル樹脂やポリカーボネート樹脂、ＡＢＳ樹脂等の合成樹脂材料により形成することも可能）をベースとして構成されている。遊技盤２０の前面には、図３に示すように、左下部から右上部にかけて配設された円弧状の外レール２１と、外レール２１の内側において左下部から左上部にかけて配設された円弧状の内レール２２と、外レール２１の右上部から該盤面の下部までの間に配設されて左向きに開く湾曲形状に形成されたレール飾り２３とを備えており、外レール２１と内レール２２とレール飾り２３とで囲まれた内側に略円形の遊技領域ＰＡが区画形成されている。また、外レール２１と内レール２２とにより、発射機構４２（図３を参照）により打ち出された遊技球を遊技領域ＰＡへ案内するための案内通路２４が形成される。この案内通路２４における遊技球の出口開口の近傍位置、すなわち、内レール２２の先端部に、案内通路２４を通って出口開口から遊技領域ＰＡ内へ放出された遊技球が再び案内通路２４へ逆戻りするのを防止する球戻り防止弁２５が配設されている。
【００１４】
遊技領域ＰＡには、図３では詳細な図示を省略しているが、多数本の遊技釘や風車等とともに、第１始動口、第２始動口、作動ゲート、大入賞口、一般入賞口等の各種入賞口の他、第１特別図柄表示装置、第２特別図柄表示装置、普通図柄表示装置、演出表示装置等の各種表示装置などが配設されている。遊技領域ＰＡの略中央にはセンター役物２６が配設されており、このセンター役物２６の下方の開口を通して演出表示装置２７の画面が視認可能に設けられている。また、遊技領域ＰＡには、センター役物２６及び演出表示装置２７を囲むように配されたセンターフレーム２８が設けられており、遊技領域ＰＡの下端には、各種入賞口に入球せずに流下した遊技球が通過可能なアウト口２９が設けられている。さらに、遊技盤２０の前面には、盤面（主に遊技領域ＰＡ）を装飾するための盤面装飾シート４００が、センターフレーム２８の外側の領域（遊技領域ＰＡを含む）に貼着されている。この盤面装飾シート４００の詳細構成については後述するが、盤面装飾シート４００には、人物キャラクタ等の絵柄が印刷されるキャラクタ印刷領域４０１や、英文字等が印刷される文字印刷領域４０２、基板に穿設された孔部（図示略）の後側に配置されたＬＥＤランプの光を透過する発光領域４０３等が設けられている。
【００１５】
ガラス枠５の下部には、遊技球を貯留する上下の球皿（上球皿６及び下球皿７）が設けられる。ガラス枠５の上部には、遊技の展開状況に応じて発光する演出ランプ１１や、遊技の展開状況に応じて効果音を発生させるスピーカ８が設けられている。ここで、下球皿７は、ガラス枠５の左右の中心に対して左側に寄って配置されている。これにより、下球皿７の正面右側には空きスペースが形成され、その部分に所定の演出操作を行うためのボタンやスイッチ、ダイヤル等の演出操作手段１２などが取り付けられる。
【００１６】
前枠２の右下部には、遊技球の発射操作を行う発射ハンドル９が設けられている。前枠２の下部には、図３に示すように、ガラス枠５の背後において遊技盤２０と上下に整合し得る位置に遊技補助盤（４０）と称される補助機構部が形成されており、この遊技補助盤４０の各部に、上球皿６に貯留された遊技球を１球ずつ送り出す整流器４１、整流器４１から送り出された遊技球を遊技領域ＰＡに向けて打ち出す発射機構４２、発射機構４２の作動を制御する発射制御基板４３などが設けられている。
【００１７】
続いて、ぱちんこ遊技機ＰＭの後面側の基本構造を説明する。前枠２の後面側には、図２に示すように、中央に前後連通する窓口を有して前枠２よりも幾分小型の矩形枠状に形成された裏セット盤５０が取り付けられている。裏セット盤５０の各部には、遊技施設側から供給される多数個の遊技球を貯留する貯留タンク５１、貯留タンク５１からの遊技球を流下させる樋部材５２、樋部材５２により導かれた遊技球を払い出す賞球払出ユニット
５３、賞球払出ユニット５３から払い出された遊技球を上球皿６又は下球皿７へ流下させる裏側通路部材５４などが設けられている。また、図２では図示を省略しているが、裏セット盤５０の後面側には、前面開放の矩形箱状をなす裏セットカバー５５（図４，５を参照）が着脱自在に装着されており、常には前枠２に取り付けられた遊技盤２０の後面側を覆って配設されている。
【００１８】
遊技盤２０の後側には、ぱちんこ遊技機ＰＭの作動を統括的に制御する主制御装置１００や、遊技展開に応じた画像表示、効果照明、効果音等の演出全般の制御を行う副制御装置６０等が取り付けられている。また、遊技盤２０の後面側には、遊技盤裏ベース部材７０（図５を参照）が装着されており、主制御装置１００や副制御装置６０等は、主にこの遊技盤裏ベース部材７０を介して遊技盤２０の後側に取り付けられている。遊技盤２０は、これらの主制御装置１００、副制御装置６０、遊技盤裏ベース部材７０及び後述する自立支援機構３００Ｌ，３００Ｒ（図１０を参照）と共に、遊技盤ユニット２００を構成する。この遊技盤ユニット２００は、図５に示すように、前枠２の内側左側縁部に配設された上下の支持部１５ａ，１５ｂ（詳しくは、右方に開口したコの字状の支持基部と、支持基部後方側に配設され、支持基部内に挿入された遊技盤ユニット２００を弾性力により前方に付勢して押さえつける板バネ部材とにより構成される）に対し、横開き開閉及び着脱可能に取り付けられる。なお、前枠２は、遊技盤ユニット２００保持可能な保持枠として機能し、前枠２の内側及び前枠２と裏セット盤５０（裏セットカバー５５）との間には、遊技盤ユニット２００を収納可能なスペース（以下「収納部ＳＴ」と称する）が形成されている（図５を参照）。これに対して、裏セット盤５０の後側には、遊技球の払い出しに関する制御を行う払出制御装置８０や、遊技施設側から受電して各種制御装置や電気・電子部品に電力を供給する電源基板ユニット（図示略）等が取り付けられている。これらの制御装置とぱちんこ遊技機ＰＭ各部の電気・電子部品とがハーネス（コネクタケーブル）で接続されて、ぱちんこ遊技機ＰＭが作動可能に構成されている。
【００１９】
ぱちんこ遊技機ＰＭは、外枠１が遊技施設の遊技島（設置枠台）に固定設置され、前枠２、ガラス枠５等が閉鎖施錠された状態で遊技に供され、上球皿６に遊技球を貯留させて発射ハンドル９を回動操作することにより遊技が開始される。発射ハンドル９が回動操作されると、上球皿６に貯留された遊技球が、整流器４１によって１球ずつ発射機構４２に送り出され、発射機構４２により遊技領域ＰＡに向けて打ち出される。
【００２０】
［遊技盤ユニットの構成］
次に、図６〜図１３を追加参照して、遊技盤ユニット２００の構成について詳細に説明する。先に略述しているように遊技盤ユニット２００は、遊技盤２０と、遊技盤２０の後面側に取り付けられた主制御装置１００、副制御装置６０及び遊技盤裏ベース部材７０と、遊技盤ユニット２００の後側下部に配設された左右一対の自立支援機構３００Ｌ，３００Ｒと、を主体として構成される（図６を参照）。以下の説明では、遊技盤ユニット２００における、自立支援機構３００Ｌ，３００Ｒを除いた部分全体のことをユニット本体２１０と称し、ユニット本体２１０に自立支援機構３００Ｌ，３００Ｒを加えたものを遊技盤ユニット２００と称することとする。
【００２１】
自立支援機構３００Ｌ，３００Ｒは、主制御装置１００が着脱可能に取り付けられる主基板ブラケット部材１１０を介して、ユニット本体２１０の後面下部に配設されている。主基板ブラケット部材１１０は、主制御装置１００のケース１０１の外周形状に合わせた板状に形成される（図１１を参照）。主基板ブラケット部材１１０の左端部の上下２箇所には、穴部を有する取付ヒンジ部１１１が形成されており、この取付ヒンジ部１１１は、遊技盤裏ベース部材７０の対応する２箇所に設けられた支持軸部７１（図８を参照）に回転自在に連結される。これにより、主基板ブラケット部材１１０は、遊技盤裏ベース部材７０の後側下部に左右方向に揺動自在に取り付けられる。図１１に示すように、主基板ブ
ラケット部材１１０の右端部には、ニフラッチ、ナイラッチ等と称されるボタン型の結合部材（図示略）を挿通させることが可能な取付穴部１１２が形成されており、結合部材を取付穴部１１２に挿通させて遊技盤裏ベース部材７０の後側下部に設けられた被結合部（図示略）に結合させることで、主基板ブラケット部材１１０が取り付け固定される。
【００２２】
図１１に示すように、自立支援機構３００Ｌ，３００Ｒはそれぞれ、自立用スタンド３１０、回動軸部３２０、ねじりバネ３３０及びスタンド支持ブラケット３４０を備えて構成される。自立用スタンド３１０は、樹脂材料で形成されており、図１２に示すように、一部が中空に形成された矩形板状の基部プレート３１１と、基部プレート３１１の基端部（図中上端部）に形成された円筒状の軸挿入部３１６とを備えて構成されている。基部プレート３１１の前面部３１２は平面状に形成されており、その右上部には、前面部３１２の一部を矩形状に切り欠いて形成されたバネ掛け部３１３が設けられている。基部プレート３１１の後面部３１４は、前面部３１２に対し平行に形成された平行面部３１４ａと、平行面部３１４ａに対し屈曲して傾斜した（図１２（Ａ）において上方に行くに従い後方（図中左方）に張り出すように傾斜した）傾斜面部３１４ｂとを備えている。基部プレート３１１の先端面部３１５は、前面部３１２に対し垂直ではなく若干傾斜する（図１２（Ａ）において後方（前面部３１２の側から後面部３１４の側）に向かって下り勾配となるように傾斜する）ように形成されている。
【００２３】
スタンド支持ブラケット３４０は、樹脂材料で形成されており、図１１に示すように、矩形板状の基部３４１と、基部３４１の左右両端部において基部３４１に対し垂直に設けられた三角形状の一対の側板部３４２とを備えて構成され、各側板部３４２には、軸受用孔部３４３が形成されている。スタンド支持ブラケット３４０は、主基板ブラケット部材１１０の前面下部に取り付けられる（図１０を参照）。スタンド支持ブラケット３４０が取り付けられる箇所における主基板ブラケット部材１１０の前側下面部には、自立用スタンド３１０の下方への突出を可能とするための切欠き部１１３が形成されている（図１１を参照）。
【００２４】
回動軸部３２０は、図１１に示すように、金属製の円柱状部材により構成されており、その両端部には、スタンド支持ブラケット３４０の軸受用孔部３４３と係合する溝部３２１が形成されている。回動軸部３２０は、自立用スタンド３１０の軸挿入部３１６内に挿入され、さらに両端部がスタンド支持ブラケット３４０の軸受用孔部３４３と係合されることにより、スタンド支持ブラケット３４０に保持される。また、これにより自立用スタンド３１０が、回動軸部３２０を介してスタンド支持ブラケット３４０に、上下方向に起伏揺動可能に支持されることとなる。
【００２５】
ねじりバネ３３０は、鋼製のワイヤにより構成されており、ワイヤが複数回巻回されて構成された巻回部３３１（図１１では巻回されたワイヤの一部の図示を省略）と、巻回部３３１から延び出た第１アーム部３３２及び第２アーム部３３３とを備えている。第１アーム部３３２は直線状に形成され、第２アーム部３３は先端部がＬ字状に折り曲げて形成されている。このねじりバネ３３０は、スタンド支持ブラケット３４０に揺動可能に支持される自立用スタンド３１０の軸挿入部３１６が巻回部３３１内に挿通され、第１アーム部３３２の先端部がスタンド支持ブラケット３４０の基部３４１に当接し、第２アーム部３３３のＬ字状の先端部が自立用スタンド３１０のバネ掛け部３１３に掛けられた状態で、スタンド支持ブラケット３４０と自立用スタンド３１０との間に装着される（図１０を参照）。装着されたねじりバネ３３０は、自立用スタンド３１０を、後述する自立支援位置に変位させるように常時付勢する付勢部材として機能する。
【００２６】
このように構成された自立支援機構３００Ｌ，３００Ｒは、主基板ブラケット部材１１０の前面下部に取り付けられ（図１０を参照）、さらに主基板ブラケット部材１１０を介
して、ユニット本体２１０の後面下部に配設される（図８を参照）。ユニット本体２１０の後面下部に配設された自立支援機構３００Ｌ，３００Ｒでは、自立用スタンド３１０が、自立支援位置とスタンド収納位置との間を揺動して変位することが可能となるとともに、ねじりバネ３３０の付勢力によって自立支援位置に変位するように常時付勢される。自立支援位置とは、自立用スタンド３１０がユニット本体２１０を自立した状態で支えることが可能となる位置であり、スタンド収納位置とは、自立用スタンド３１０がユニット本体２１０と共に収納部ＳＴ内に収納可能となる位置である。
【００２７】
本実施形態では図７に示すように、遊技盤裏ベース部材７０の後側下部に、自立用スタンド３１０（基部プレート３１１）を収納することが可能な収納凹部７２が設けられており、この収納凹部７２内に自立用スタンド３１０が倒伏した状態で収納される位置、詳しくは、基部プレート３１１の前面部３１２が収納凹部７２の上面部７２ａと近接して対峙する（または当接する）位置を、スタンド収納位置として設定している。一方、自立用スタンド３１０（基部プレート３１１）が起立して収納凹部７２の下方に突出する位置、詳しくは、基部プレート３１１の後面部３１４の傾斜面部３１４ｂがスタンド支持ブラケット３４０の基部３４１の前面に面同士で当接する位置を、自立支援位置として設定している。
【００２８】
自立用スタンド３１０は、ねじりバネ３３０の付勢力によって自立支援位置に変位するように常時付勢されているので、遊技盤ユニット２００が収納部ＳＴから出されると、自動的に自立支援位置に変位する。このため、遊技盤ユニット２００を交換する際などに、作業者が自立用スタンド３１０を自立支援位置に変位させる手間を省くことができる。自立用スタンド３１０が自立支援位置に変位すると、前枠２から取り外された遊技盤ユニット２００（ユニット本体２１０）を自立させることができる。自立させるときは図１３に示すように、遊技盤ユニット２００を床等の水平な載置面ＦＬ上に立てた状態で載置する。具体的には、自立支援位置に変位した左右一対の自立用スタンド３１０（図１１では左側の自立支援機構３００Ｌの自立用スタンド３１０のみを図示）の先端面部３１５を載置面ＦＬに当接させるとともに、遊技盤２０の下辺縁部２０ａを載置面ＦＬに当接させて自立させる。
【００２９】
本実施形態では、遊技盤ユニット２００を自立させたとき、遊技盤ユニット２００が全体的に若干後側に傾くように構成（自立用スタンド３１０の長さ等が設定）されている。これは、遊技盤ユニット２００の重心が、後側に少し寄った高い位置にあることを考慮したものであり、自立させたときに遊技盤ユニット２００が若干後側に傾くことによって、遊技盤ユニット２００が前方に倒れ難くなり、安定して自立させることが可能となる。また、自立用スタンド３１０（基部プレート３１１）の先端面部３１５が、前面部３１２に対し垂直ではなく若干傾斜するように形成されていることは先に述べたが、その傾斜角度は、遊技盤ユニット２００を自立させたときに先端面部３１５が、載置面ＦＬに対し面同士で当接し得るような角度に設定されている。これにより、自立用スタンド３１０の先端面部３１５と載置面ＦＬとの接触面積が大きくなって両面間の摩擦力を大きくすることが可能となるので、遊技盤ユニット２００をより安定して自立させることができる。
【００３０】
さらに、先に略述したように、自立用スタンド３１０が自立支援位置に変位した状態では、自立用スタンド３１０（基部プレート３１１）の後面部３１４の傾斜面部３１４ｂがスタンド支持ブラケット３４０の基部３４１の前面に面同士で当接するようになっている（図７を参照）。スタンド支持ブラケット３４０の基部３４１は、ねじりバネ３３０の付勢力に抗して自立用スタンド３１０を自立支援位置に停止保持するストッパとしての機能を有しているので、上述のように面同士で当接する構成としたことにより、自立用スタンド３１０を自立支援位置に安定して停止保持することが可能となっている。
【００３１】
また、先に略述しているように、自立用スタンド３１０（基部プレート３１１）の後面部３１４の平行面部３１４ａは傾斜面部３１４ｂに対して屈曲して形成されている。具体的には図７に示すように、自立用スタンド３１０が自立支援位置に変位した状態において、平行面部３１４ａは、スタンド支持ブラケット３４０の基部３４１に当接している傾斜面部３１４ｂに対し、後方に屈曲するように形成されている。これにより、自立用スタンド３１０（基部プレート３１１）の先端面部３１５を、スタンド支持ブラケット３４０の基部３４１と自立用スタンド３１０の傾斜面部３１４ｂとの当接位置よりも後方に位置させることができる。このため、遊技盤ユニット２００を自立させるときに、載置面ＦＬに当接する前後方向の２つの位置（自立用スタンド３１０の先端面部３１５の位置と、遊技盤２０の下辺縁部２０ａの位置）の間の距離を長くすることが可能となるので、遊技盤ユニット２００をより一層安定して自立させることができる。なお、本実施形態では、自立用スタンド３１０（基部プレート３１１）の後面部３１４側のみを屈曲させているが、前面部３１２側も同様に屈曲形成してもよい。以上のように、自立支援機構３００Ｌ，３００Ｒを備えた遊技盤ユニット２００は、収納部ＳＴから出されると、自立用スタンド３１０が自動的に自立支援位置に変位するので、交換作業等を行う際に、極めて容易に自立させることが可能である。
【００３２】
［遊技盤ユニット収納時の自立支援機構の動作］
次に、図１４〜図１９を追加参照して、遊技盤ユニット２００を収納部ＳＴ内に収納する際の自立支援機構３００Ｌ，３００Ｒの動作について説明する。上述したように、自立支援機構３００Ｌ，３００Ｒの自立用スタンド３１０は、遊技盤ユニット２００が収納部ＳＴから出されると、ねじりバネ３３０の付勢力によって自動的に自立支援位置に変位する。一方、自立支援位置に変位した状態の自立用スタンド３１０は、遊技盤ユニット２００が収納部ＳＴ内に収納されると、その過程において、収納部ＳＴ内の所定の部材（以下「収納部内被当接部材」と称する）と当接し、その当接により、ねじりバネ３３０の付勢力に抗して、スタンド収納位置に変位するように構成されている。以下、その詳細について説明する。
【００３３】
図１４に示すように、前枠２の下部には、整流器４１等が取り付けられる前枠ベース部材９１と、入賞口を通過した遊技球を集めるように中央部が凹んだ形状に形成された流路カバー部材９２と、流路カバー部材９２と共に遊技球の排出流路を形成する流路ベース部材９３とが配設されており、これらの部材が収納部内被当接部材として機能する。すなわち、自立支援位置に変位した状態の自立用スタンド３１０は、遊技盤ユニット２００が収納部ＳＴ内に収納される（前枠２に横開き開閉可能に取り付けられた遊技盤ユニット２００が揺動しながら、その後側の部分から収納部ＳＴ内に収納される）過程において、前枠ベース部材９１や流路カバー部材９２と当接し、これにより、収納凹部７２内に倒伏するように変位しつつ（図１７を参照）、さらに流路ベース部材９３と当接することによって、最終的にスタンド収納位置まで変位する（図１９を参照）。なお、図１７は、自立支援機構３００Ｌの自立用スタンド３１０を示し、図１９は、自立支援機構３００Ｒの自立用スタンド３１０を示している。どちらの自立用スタンド３１０も収納時の動作の概要は同じであるが、収納時に当接する箇所や収納されるタイミングなどは異なっている。
【００３４】
すなわち、自立支援機構３００Ｌの自立用スタンド３１０と自立支援機構３００Ｒの自立用スタンド３１０とでは、それぞれの配設位置が異なるので、遊技盤ユニット２００が収納部ＳＴ内に収納される際に収納部内被当接部材（前枠ベース部材９１、流路カバー部材９２及び流路ベース部材９３）と当接する箇所がそれぞれ異なっている。図１４におけるＧ部は、自立支援機構３００Ｌの自立用スタンド３１０と収納部内被当接部材との当接箇所を概略的に示しており、同図におけるＨ部は、自立支援機構３００Ｒの自立用スタンド３１０と収納部内被当接部材との当接箇所を概略的に示している。また、遊技盤ユニット２００は、その左側縁部が前枠２に支持されているため、遊技盤ユニット２００が収納
部ＳＴ内に収納される際には、自立支援機構３００Ｌの自立用スタンド３１０の方が先に収納部内被当接部材と当接してスタンド収納位置へと変位し、それよりも少し遅れて自立支援機構３００Ｒの自立用スタンド３１０が収納部内被当接部材と当接してスタンド収納位置へと変位する（図１５を参照）。なお、遊技盤ユニット２００を収納部ＳＴ内から取り出す際の自立支援機構３００Ｌ，３００Ｒの動作は、上述の収納時の動作を時間的に反転させたものに相当する。
【００３５】
このように自立支援機構３００Ｌ，３００Ｒの自立用スタンド３１０は、遊技盤ユニット２００が収納部ＳＴ内に収納される際に、収納部内被当接部材（前枠ベース部材９１、流路カバー部材９２及び流路ベース部材９３）と当接することにより、ねじりバネ３３０の付勢力に抗して、スタンド収納位置に自動的に変位する。このため、作業者が自立用スタンド３１０をスタンド収納位置に変位させるという手間を省くことができ、作業効率を高めることが可能となる。なお、作業者が所定の作業を行わなければ自立用スタンド３１０をスタンド収納位置に変位させることができないように構成することも可能である。ただし、その場合には、作業者がそのような所定の作業を行うことを忘れてしまい、遊技盤ユニット２００を収納部ＳＴ内に収納する際に、突出した状態の自立用スタンド３１０が収納部内被当接部材と強く衝突し、収納部内被当接部材や自立用スタンド３１０が破損する虞がある。本実施形態によれば、そのような事態が生じることを防止することが可能である。
【００３６】
本実施形態では、２個の自立用スタンド３１０を設けているが、３個以上の自立用スタンドを設けることや、自立用スタンドを左右方向に延びる１枚の板状部材で構成することによって、自立用スタンドを１個とすることも可能である。また、本実施形態では、遊技盤ユニット２００に対して自立用スタンド３１０が起伏揺動する構成としているが、遊技盤ユニットに対して自立用スタンドがスライド移動する構成とすることも可能である。さらに、本実施形態では、自立用スタンド３１０の付勢部材としてねじりバネ３３０を用いているが、コイルバネや板バネ等を付勢部材として用いてもよい。また、自立用スタンド３１０の先端面部３１５に、ゴム等の滑り難い部材を取り付けるなどの滑り止め加工を施してもよい。
【００３７】
［盤面装飾シートの構成］
先に略述したように、遊技盤２０の前面には、盤面を装飾するための盤面装飾シート４００が貼着されている（図３を参照）。以下、図２０を追加参照して、盤面装飾シート４００の詳細構成について説明する。
【００３８】
盤面装飾シート４００は、図２０に示すように、基板の前面（図中上面）に、接着剤（例えば、酢酸ビニル系の接着剤）４０５を介して貼り付けられる。盤面装飾シート４００は、前方側（遊技者側）から順に、透明なフィルム層４１０、装飾インク層４２０、第１糊層４３０、立体的装飾反射層４４０、第２糊層４５０、及び紙層４６０を備えて構成される。なお、図２０の各層内に示すミリメートルを単位とする数値は、各層の厚みの一例を示している。
【００３９】
フィルム層４１０は、ＣＡＢ（セルロースアセテートブチレート）樹脂により形成され、装飾インク層４２０により形成される絵柄を遊技者に視認可能とする透明性を有するとともに、立体的装飾反射層４４０のレンズ状の凹凸部（詳しくは後述する）や変形の影響を抑えて盤面装飾シート４００の前面を平滑に保ち、遊技領域ＰＡを流下する遊技球の動作に悪影響が及ぶことを防止する機能を備えている。
【００４０】
装飾インク層４２０は、人物キャラクタや文字等の絵柄を形成するために、フィルム層４１０の後面（図中下面）に対し施される印刷によって形成される層である。本実施形態
では、シルク印刷とオフセット印刷（インクジェット印刷としてもよい）の２つの印刷手法を用いて、絵柄が形成される。シルク印刷はインクの粒子間の距離が短いため光を通し難く、絵柄をはっきりと視認することが可能となる。オフセット印刷（インクジェット印刷）は、シルク印刷に比べてインクの粒子間の距離が長いため光を通し易く、後述する立体的装飾反射層４４０の装飾効果が表れ易い。本実施形態では、図３に示すキャラクタ印刷領域４０１に印刷される人物キャラクタ（図示略）の顔や輪郭線の部分はシルク印刷を用いて立体的装飾反射層４００の効果を減らす（無くす）とともに、人物キャラクタの髪の部分や文字印刷領域４０２に印刷される文字（図示略）の部分はオフセット印刷（インクジェット印刷）を用いて描画しており、立体的装飾反射層４００の反射光による装飾効果を印刷された絵柄に付加して表現することを可能としている。
【００４１】
第１糊層４３０は、装飾インク層４２０を介して、フィルム層４１０と立体的装飾反射層４４０とを貼り付けるための層であり、本実施形態では硬化した状態で透光性を有する接着剤を用いて形成される。
【００４２】
立体的装飾反射層４４０は、ホログラムのような立体的で光沢感のある装飾性を得ることができる層であり、図２０に示すように、ＰＥＴ（ポリエチレンテレフタレート）樹脂で形成され、升目状（格子状）に区画された各区画領域内に球面レンズ状またはフレネルレンズ状の凹凸部を有するレンズ状透明層４４１と、アルミ箔で形成された反射層４４２と、紙で形成されたベース層４４３と、を備えて構成される。この立体的装飾反射層４４０を、レンズ状透明層４４１の側から見ると、複数の升目状の各区画領域内に金属的な光沢感を有するレンズ状の模様が見える（図２１を参照）。本実施形態では、このような立体的装飾反射層４４０を、盤面装飾シート４００に用いているので、盤面の装飾性を格段に高めることが可能となる。また、この立体的装飾反射層４４０を装飾インク層４２０の後面側に配していることにより、装飾インク層４２０により形成された絵柄の装飾性向上にも寄与する。特に、オフセット印刷（インクジェット印刷）を用いて描画した領域では、立体的装飾反射層４４０が透けて見える（立体的装飾反射層４４０からの反射光が透過する）ため装飾性の向上効果が高い。これに対し、シルク印刷を用いて描画した領域では、立体的装飾反射層４４０からの反射光が透過し難いので、立体的装飾反射層４４０による装飾性の向上効果は限定的となる。
【００４３】
この立体的装飾反射層４４０は、図３に示す発光領域４０３に対応する部分ではトムソン加工（打ち抜き加工）が施される。トムソン加工を施した部分は、遊技機内部の熱（発光部材の熱や可動役物の熱）により、樹脂で構成されている層が膨らみ等の変形を起こし易いが、フィルム層４１０の厚みをある程度確保する（例えば、図２０に例示した、０．４ミリメートルとする）ことにより、このようなトムソン加工部の変形を防止することが可能となる。ただし、フィルム層４１０の厚みが増すほど、フィルム層４１０のコストが増大する。また、フィルム層４１０の厚みが増すと重量も増加し、その影響で立体的装飾反射層４４０のベース層４４３が剥離する可能性も出てくる。一方、フィルム層４１０を薄く（例えば、０．２２ミリメートル）して重量を抑えることにより、このようなベース層４４３の剥離現象を抑制することが可能となり、フィルム層４１０のコストも削減することができる。ただし、トムソン加工部の変形防止効果や、レンズ状透明層４４１の凹凸部の影響を抑えて盤面装飾シート４００の前面を平滑に保つ効果は低下する。このような事情に鑑み、フィルム層４１０の厚みを適正に決定することが好ましい。
【００４４】
第２糊層４５０は、図２０に示すように、立体的装飾反射層４４０と紙層４６０とを貼り合わせるための層であり、本実施形態では、ＰＥＴ樹脂で形成される支持体４５２の両面に粘着剤４５１，４５３を形成して構成された両面テープにより形成される。
【００４５】
紙層４６０は、半透明のトレーシングペーパーにより形成される。トレーシングペーパ
ーを用いることにより、盤面装飾シート４００と基板（ベニヤ板）との接着性を向上させることができる。盤面装飾シート４００の近傍には、可動役物（図示略）や、図３に示す発光領域４０３におけるＬＥＤランプ等の発熱源が配置されており、これらの発熱源からの熱によってフィルム層４１０が変形し易い環境にあるが、トレーシングペーパーを介在させることにより、発光領域４０３の光源であるＬＥＤ等の光を、点状に見えない（点光りしない）ように拡散させる効果が得られるとともに、フィルム層４１０の変形を防止し、ひいては盤面装飾シート４００と基板との接着性を向上させることが可能となっている。
【００４６】
［立体的装飾反射層の変形例］
次に、図２２を追加参照して、立体的装飾反射層の変形例について説明する。図２２に示す立体的装飾反射層４７０は、レンズ状透明層４７１と、ミラーインク層４７２と、白色インク層４７３とを備えて構成され、上述の立体的装飾反射層４４０に代えて盤面装飾シート４００に用いることが可能である。レンズ状透明層４７１は、上述のレンズ状透明層４４１と同様の構成、機能を有するものである。ミラーインク層４７２は、金属箔を用いることなく、インクにより同様の金属的な反射効果を得る層である。白色インク層４７３は、周辺の光を拡散反射し易い層であり、これにより、ミラーインク層４７２の塗装ムラ（抜け）を目立たなくする効果が得られる。この立体的装飾反射層４７０を、上述の立体的装飾反射層４４０に代えて盤面装飾シート４００に用いることによっても、同様の優れた装飾効果を得ることが可能となる。
【００４７】
［その他の変形例］
上記実施形態では、立体的装飾反射層４４０（レンズ状透明層４４１）における、レンズ状の凹凸部を有する各区画領域が升目状（格子状）に形成されているが、各区画領域の形状はこれに限定されるものではなく、縦縞状や横縞状に形成したり、ハニカム状やダイヤカット状に形成したりすることも可能である。また、互いに異なる装飾効果（光反射効果）を有する複数種類の立体的装飾反射層を設けるようにしてもよい。例えば、文字印刷領域４０２等のオフセット印刷領域を複数設け、各々の印刷領域に対して、異なる光反射効果を有する立体的装飾反射層をその後面側に配置することにより、各印刷領域の絵柄に対し、それぞれ異なる光反射効果を付加することも可能である。
【００４８】
また、上記実施形態では、ベニヤ板で形成される基板に盤面装飾シートを貼着する例を示しているが、アクリル樹脂等の合成樹脂材料により形成された透明基板に、盤面装飾シートを貼着することも可能である。その場合、樹脂製の透明基板の前面に盤面装飾シートを貼着してもよいし、後面に盤面装飾シートを貼着してもよい。後面に盤面装飾シートを貼着する態様に代えて、透明基板の後面に、絵柄の印刷を直接施して装飾インク層を形成し、その後面側に、立体的装飾反射層を備えた装飾シート部材を貼着するようにしてもよい。この場合、立体的装飾反射層の凹凸部や変形の影響が、透明基板前面の遊技領域に及ぶことはない。また、装飾インク層や紙層などは、必要に応じて適宜省くことが可能であり、各層の構成についても適宜変更することが可能である。例えば、立体的装飾反射層として、レンチキュラーレンズを用いてホログラム的な視覚的効果を得ることが可能に構成された印刷シートを用いることもできる。
【符号の説明】
【００４９】
ＰＭ  ぱちんこ遊技機
ＰＡ  遊技領域
ＳＴ  収納部
１  外枠
２  前枠
５  ガラス枠
６  上球皿
７  下球皿
２０  遊技盤
５０  裏セット盤
５５  裏セットカバー
６０  副制御装置
７０  遊技盤裏ベース部材
７２  収納凹部
９１  前枠ベース部材
９２  流路カバー部材
９３  流路ベース部材
１００  主制御装置
１１０  主基板ブラケット部材
２００  遊技盤ユニット
２１０  ユニット本体
３００Ｌ，３００Ｒ  自立支援機構
３１０  自立用スタンド
３２０  回動軸部
３３０  ねじりバネ
３４０  スタンド支持ブラケット
４００  盤面装飾シート
４０１  キャラクタ印刷領域
４０２  文字印刷領域
４０３  発光領域
４１０  フィルム層
４２０  装飾インク層
４３０  第１糊層
４４０  立体的装飾反射層
４５０  第２糊層
４６０  紙層
【図１】
2018175236.tif 000003
【図２】
2018175236.tif 000004
【図３】
2018175236.tif 000005
【図４】
2018175236.tif 000006
【図５】
2018175236.tif 000007
【図６】
2018175236.tif 000008
【図７】
2018175236.tif 000009
【図８】
2018175236.tif 000010
【図９】
2018175236.tif 000011
【図１０】
2018175236.tif 000012
【図１１】
2018175236.tif 000013
【図１２】
2018175236.tif 000014
【図１３】
2018175236.tif 000015
【図１４】
2018175236.tif 000016
【図１５】
2018175236.tif 000017
【図１６】
2018175236.tif 000018
【図１７】
2018175236.tif 000019
【図１８】
2018175236.tif 000020
【図１９】
2018175236.tif 000021
【図２０】
2018175236.tif 000022
【図２１】
2018175236.tif 000023
【図２２】
2018175236.tif 000024